【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
記録媒体に色材を付与する記録素子が複数配列して構成される記録素子列を複数有し、該複数の記録素子列と前記記録媒体とを相対的に移動させることにより画像を形成する記録装置であって、
前記記録素子列に含まれる複数の記録素子間の記録位置のずれを補正するための第１の調整値を求める第１の調整手段と、
２列以上の前記記録素子列間の記録位置のずれを補正するための第２の調整値を求める第２の調整手段と、
前記第１の調整値と前記第２の調整値とを複合させた第３の調整値に基づいて前記画像を形成する画像形成手段と、を備えることを特徴とする記録装置。
【請求項２】
前記複数の記録素子列は互いに異なる種類の色材を前記記録媒体に付与することを特徴とする請求項１に記載の記録装置。
【請求項３】
前記複数の記録素子列は、同一の記録ヘッドに形成されていることを特徴とする請求項１または２に記載の記録装置。
【請求項４】
前記複数の記録素子列は、複数の記録ヘッドに形成されていることを特徴とする請求項１または２に記載の記録装置。
【請求項５】
記録媒体に色材を付与する記録素子が複数配列して構成される記録素子列を有し、該記録素子列を前記記録媒体に対し往復に移動させることにより画像を形成する記録装置であって、
前記記録素子列に含まれる複数の記録素子間の記録位置のずれを補正するための第１の調整値を求める第１の調整手段と、
前記記録素子列を往方向に移動させたときの記録位置と前記記録素子列を復方向に移動させたときの記録位置とのずれを補正するための第２の調整値を求める第２の調整手段と、
前記第１の調整値と前記第２の調整値とを複合させた第３の調整値に基づいて前記画像を形成する画像形成手段と、を備えることを特徴とする記録装置。
【請求項６】
記録媒体に色材を付与する記録素子が複数配列して構成される記録素子列を有し、該記録素子列を前記記録媒体に対し往復に移動させることにより画像を形成する記録装置であって、
前記記録素子列の記録位置の傾きを補正するために該記録素子列に含まれる複数の記録素子の記録位置を調整するための第１の調整値を求める調整手段と、
２列以上の前記記録素子列間の記録位置のずれを補正するための第２の調整値を求める調整手段と、
前記第１の調整値と前記第２の調整値とを複合させて第３の調整値を求める手段と
を備えることを特徴とする記録装置。
【請求項７】
前記第１の調整手段は、記録媒体に記録された第１のチェックパターンより判断された値を前記第１の調整値として設定し、前記第２の調整手段は、記録媒体に記録された第２のチェックパターンより判断された値を前記第２の調整値として設定することを特徴とする請求項１乃至６のいずれかに記載の記録装置。
【請求項８】
前記第２のチェックパターンは、前記第１の調整値に基づき、前記記録素子列に含まれる複数の記録素子の記録位置のずれを補正して記録されることを特徴とする請求項７に記載の記録装置。
【請求項９】
前記判断はユーザによる判断であることを特徴とする請求項７または８に記載の記録装置。
【請求項１０】
前記第１および第２のチェックパターンを読み取るための読み取り手段を更に具備し、前記判断は前記読み取り手段による読み取り値に応じて行われることを特徴とする請求項７または８に記載の記録装置。
【請求項１１】
前記第１および第２のチェックパターンを記録するためのデータを格納する手段を更に具備することを特徴とする請求項７または８に記載の記録装置。
【請求項１２】
前記第１および第２のチェックパターンを記録するためのデータは外部に接続された装置から供給されることを特徴とする請求項７または８に記載の記録装置。
【請求項１３】
記録媒体に色材を付与する記録素子が複数配列して構成される記録素子列の複数を、前記記録媒体に相対的に移動走査することにより画像を形成する記録装置の記録位置調整方法であって、
前記記録素子列に含まれる複数の記録素子間の記録位置のずれを補正するための第１の調整値を求める工程と、
２列以上の前記記録素子列間の記録位置のずれを補正するための第２の調整値を求める工程と、
前記第１の調整値と前記第２の調整値とを複合させて第３の調整値を求める工程と
を有することを特徴とする記録位置調整方法。
【請求項１４】
記録媒体に色材を付与する記録素子が複数配列して構成される記録素子列を有し、該記録素子列を前記記録媒体に対し往復に移動させることにより画像を形成する記録装置の記録位置調整方法であって、
前記記録素子列に含まれる複数の記録素子間の記録位置のずれを補正するための第１の調整値を求める工程と、
前記記録素子列の往路の移動走査における記録位置と復路の移動走査における記録位置とのずれを補正するための第２の調整値を求める工程と、
前記第１の調整値と前記第２の調整値とを複合させて第３の調整値を求める工程と
を有することを特徴とする記録位置調整方法。
【請求項１５】
記録媒体に色材を付与する記録素子が複数配列して構成される記録素子列を有し、該記録素子列を前記記録媒体に対し往復に移動させることにより画像を形成する記録装置の記録位置調整方法であって、
前記記録素子列の記録位置の傾きを補正するために該記録素子列に含まれる複数の記録素子の記録位置を調整するための第１の調整値を求める工程と、
２列以上の前記記録素子列間の記録位置のずれを補正するための第２の調整値を求める工程と、
前記第１の調整値と前記第２の調整値とを複合させて第３の調整値を求める工程と
を有することを特徴とする記録位置調整方法。
【手続補正２】
【補正対象書類名】明細書
【補正対象項目名】００３０
【補正方法】変更
【補正の内容】
【００３０】
そのために本発明においては、記録媒体に色材を付与する記録素子が複数配列して構成される記録素子列を複数有し、該複数の記録素子列と前記記録媒体とを相対的に移動させることにより画像を形成する記録装置であって、前記記録素子列に含まれる複数の記録素子間の記録位置のずれを補正するための第１の調整値を求める第１の調整手段と、２列以上の前記記録素子列間の記録位置のずれを補正するための第２の調整値を求める第２の調整手段と、前記第１の調整値と前記第２の調整値とを複合させた第３の調整値に基づいて前記画像を形成する画像形成手段と、を備えることを特徴とする。
【手続補正３】
【補正対象書類名】明細書
【補正対象項目名】００３１
【補正方法】変更
【補正の内容】
【００３１】
また、記録媒体に色材を付与する記録素子が複数配列して構成される記録素子列を有し、該記録素子列を前記記録媒体に対し往復に移動させることにより画像を形成する記録装置であって、前記記録素子列に含まれる複数の記録素子間の記録位置のずれを補正するための第１の調整値を求める第１の調整手段と、前記記録素子列を往方向に移動させたときの記録位置と前記記録素子列を復方向に移動させたときの記録位置とのずれを補正するための第２の調整値を求める第２の調整手段と、前記第１の調整値と前記第２の調整値とを複合させた第３の調整値に基づいて前記画像を形成する画像形成手段と、を備えることを特徴とする。
【手続補正４】
【補正対象書類名】明細書
【補正対象項目名】００３２
【補正方法】変更
【補正の内容】
【００３２】
また、記録媒体に色材を付与する記録素子が複数配列して構成される記録素子列を有し、該記録素子列を前記記録媒体に対し往復に移動させることにより画像を形成する記録装置であって、前記記録素子列の記録位置の傾きを補正するために該記録素子列に含まれる複数の記録素子の記録位置を調整するための第１の調整値を求める調整手段と、２列以上の前記記録素子列間の記録位置のずれを補正するための第２の調整値を求める調整手段と、前記第１の調整値と前記第２の調整値とを複合させて第３の調整値を求める手段とを備えることを特徴とする。
【手続補正５】
【補正対象書類名】明細書
【補正対象項目名】００３３
【補正方法】変更
【補正の内容】
【００３３】
また、記録媒体に色材を付与する記録素子が複数配列して構成される記録素子列の複数を、前記記録媒体に相対的に移動走査することにより画像を形成する記録装置の記録位置調整方法であって、前記記録素子列に含まれる複数の記録素子間の記録位置のずれを補正するための第１の調整値を求める工程と、２列以上の前記記録素子列間の記録位置のずれを補正するための第２の調整値を求める工程と、前記第１の調整値と前記第２の調整値とを複合させて第３の調整値を求める工程とを有することを特徴とする。
【手続補正６】
【補正対象書類名】明細書
【補正対象項目名】００３４
【補正方法】変更
【補正の内容】
【００３４】
更に、記録媒体に色材を付与する記録素子が複数配列して構成される記録素子列を有し、該記録素子列を前記記録媒体に対し往復に移動させることにより画像を形成する記録装置の記録位置調整方法であって、前記記録素子列に含まれる複数の記録素子間の記録位置のずれを補正するための第１の調整値を求める工程と、前記記録素子列の往路の移動走査における記録位置と復路の移動走査における記録位置とのずれを補正するための第２の調整値を求める工程と、前記第１の調整値と前記第２の調整値とを複合させて第３の調整値を求める工程とを有することを特徴とする。
【手続補正７】
【補正対象書類名】明細書
【補正対象項目名】００３５
【補正方法】変更
【補正の内容】
【００３５】
更にまた、記録媒体に色材を付与する記録素子が複数配列して構成される記録素子列を有し、該記録素子列を前記記録媒体に対し往復に移動させることにより画像を形成する記録装置の記録位置調整方法であって、前記記録素子列の記録位置の傾きを補正するために該記録素子列に含まれる複数の記録素子の記録位置を調整するための第１の調整値を求める工程と、２列以上の前記記録素子列間の記録位置のずれを補正するための第２の調整値を求める工程と、前記第１の調整値と前記第２の調整値とを複合させて第３の調整値を求める工程とを有することを特徴とする。